(57)【要約】  周波数分割多元接続方式により、上りリンクの信号を送信する移動局と通信を行う基地局装置に、前記上りリンクの信号の受信タイミングに基づいて、前記移動局との上りリンクの同期外れを判定する同期外れ判定手段を備えることにより達成される。
2008084622.tif 000002
【特許請求の範囲】
【請求項１】
移動局と通信を行う基地局装置であって：
前記移動局は、シングルキャリア−周波数分割多元接続方式、または、直交周波数分割多元接続方式により、上りリンクの信号を送信し、
前記上りリンクの信号の受信タイミングに基づいて、前記移動局との上りリンクの同期外れを判定する同期外れ判定手段；
を備えることを特徴とする基地局装置。
【請求項２】
請求項１に記載の基地局装置において：
前記同期外れ判定手段は、前記上りリンクの信号の受信タイミングに加えて、上りリンクのパイロット信号の受信品質及び最後にUL送信タイミング制御信号を送信したタイミングからの経過時間及び上りリンクのデータの誤り率の少なくとも１つに基づいて、前記移動局との上りリンクの同期外れを判定することを特徴とする基地局装置。
【請求項３】
請求項２に記載の基地局装置において：
前記同期外れ判定手段は、
前記上りリンクのパイロット信号の受信品質の代わりに、あるいは、に加えて、CQIの受信品質に基づいて、前記移動局との上りリンクの同期外れを判定することを特徴とする基地局装置。
【請求項４】
請求項1に記載の基地局装置において：
前記同期外れ判定手段は、前記上りリンクの信号の受信タイミングが所定の受信ウィンドウの外である場合に、前記移動局との上りリンクの同期外れと判定することを特徴とする基地局装置。
【請求項５】
請求項４に記載の基地局装置において：
前記受信ウィンドウは、自基地局装置における高速フーリエ変換タイミングとサイクリック  プリフィックス長とによって決定されることを特徴とする基地局装置。
【請求項６】
請求項４に記載の基地局装置において：
前記上りリンクの信号の受信タイミングは、サウンディング  リファレンス  シグナル、デモジュレーション  リファレンス  シグナル及びチャネル  クオリティ  インジケータの内少なくとも１つに基づいて推定されることを特徴とする基地局装置。
【請求項７】
請求項４に記載の基地局装置において：
前記同期外れ判定手段は、前記上りリンクの信号の受信タイミングが所定の受信ウィンドウの外である状態が所定の時間以上経過した場合に、前記移動局との上りリンクの同期外れと判定することを特徴とする基地局装置。
【請求項８】
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局に対して、前記上りリンクのリソース又は下りリンクのリソースを割り当てないことを特徴とする基地局装置。
【請求項９】
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局との通信を切断することを特徴とする基地局装置。
【請求項１０】
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局に対して、ランダム  アクセス  チャネルを用いて同期を確立することを指示するメッセージを通知することを特徴とする基地局装置。
【請求項１１】
請求項１０に記載の基地局装置であって、
前記ランダム  アクセス  チャネルを用いて同期を確立することを指示するメッセージはＲＲＣ  シグナリングを用いて通知されることを特徴とする基地局装置。
【請求項１２】
移動局と通信を行う基地局装置であって：
通信の開始時に、
前記移動局は、シングルキャリア−周波数分割多元接続方式、または、直交周波数分割多元接続方式により、上りリンクの信号を送信し、
前記上りリンクの信号の受信タイミングと、上りリンクのパイロット信号の受信品質と、上りリンクのデータの誤り率とに基づいて、前記移動局との上りリンクの複数の同期状態を判定する同期確立判定手段；
を備えることを特徴とする基地局装置。
【請求項１３】
移動局と通信を行う基地局装置であって：
前記移動局は、シングルキャリア−周波数分割多元接続方式、または、直交周波数分割多元接続方式により、上りリンクの信号を送信し、
前記上りリンクの信号の受信タイミングと、上りリンクのパイロット信号の受信品質の少なくとも１つに基づいて、前記移動局との上りリンクの同期状態が確立されたと判定する同期確立判定手段；
を備えることを特徴とする基地局装置。
【請求項１４】
請求項１ないし１３のいずれか１項に記載の基地局装置であって：
前記移動局とＬＴＥを用いた通信を行うことを特徴とする基地局装置。
【請求項１５】
移動局と通信を行う基地局装置における通信制御方法であって：
前記移動局からシングルキャリア−周波数分割多元接続方式、または、直交周波数分割多元接続方式により送信される上りリンクの信号を受信する受信ステップ；
前記上りリンクの信号の受信タイミングに基づいて、前記移動局との上りリンクの同期外れを判定する同期外れ判定ステップ；
を備えることを特徴とする通信制御方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に基地局装置及び通信制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＷＣＤＭＡにおいては、上りリンクの同期外れとして、以下の２つが定義されている（例えば、非特許文献２参照）。【０００６】
・個別物理制御チャネルの受信品質（ＤＰＣＣＨ（Ｄｅｄｉｃａｔｅｄ  Ｐｈｙｓｉｃａｌ  Ｃｏｎｔｒｏｌ  Ｃｈａｎｎｅｌ）  ｑｕａｌｉｔｙ）
・巡回冗長検査（ＣＲＣ（Ｃｙｃｌｉｃ  Ｒｅｄｕｎｄａｎｃｙ  Ｃｈｅｃｋ）  ｃｈｅｃｋ）結果
ここで、ＤＰＣＣＨ  ｑｕａｌｉｔｙはパイロット  シンボル（Ｐｉｌｏｔ  ｓｙｍｂｏｌｓ）のＳＩＲ（ｓｉｇｎａｌ−ｔｏ−ｉｎｔｅｒｆｅｒｅｎｃｅ  ｐｏｗｅｒ  ｒａｔｉｏ）に相当し、ＣＲＣ  ｃｈｅｃｋ結果はブロック  エラー  レート（Ｂｌｏｃｋ  ｅｒｒｏｒ  ｒａｔｅ）に相当する。
【非特許文献１】3GPP TR 25.814 (V7.0.0), "Physical Layer Aspects for Evolved UTRA," June 2006
【非特許文献２】3GPP TS 25.214 (V7.2.0), "4.3.1.3 Uplink Synchronization primitives" Sept. 2006
【発明の開示】
【発明が解決しようとする課題】
【０００７】
しかしながら、上述した背景技術には以下の問題がある。【０００８】
ＬＴＥシステムでは、基地局装置（ｅＮＢ：  ｅＮｏｄｅＢ）は、同時にアクセスする複数の移動局からの受信信号の受信タイミングをＣＰ長内に収め、移動局間の直交性が維持されるように、下りリンクのシグナリングにより各移動局の送信タイミングの制御を行う。【０００９】
しかし、既知信号であるパイロット  シンボルのＳＩＲや、データの誤り率だけで同期外れを検出した場合には、基地局装置の受信ウィンドウを外れた移動局にも上りリンクの共有チャネルが割り当てられる場合があることが想定される。このため、基地局装置の受信ウィンドウを外れた移動局が存在した場合には、移動局間の上りリンクの直交性が崩れるため、上りリンクの伝送特性が劣化する。その結果、上りリンクの容量が劣化する。ここで、上述した基地局装置の受信ウィンドウは、高速フーリエ変換（ＦＦＴ：  Ｆａｓｔ  Ｆｏｕｒｉｅｒ  Ｔｒａｎｓｆｏｒｍ）のタイミングとＣＰ長とにより定義される。【００１０】
そこで、本発明は、上述した課題に鑑み、その目的は、上りリンクにおける各移動局の直交性を維持でき、上りリンクの伝送特性及び容量を改善できる基地局装置及び通信制御方法を提供することにある。【００１１】
また、本発明の他の目的は、同期外れを判定でき、その判定結果を上りリンクのスケジューリングに反映させることができる基地局装置及び通信制御方法を提供することにある。
【課題を解決するための手段】
【００１２】
上記課題を解決するため、本発明の基地局装置は、
移動局と通信を行う基地局装置であって：
前記移動局は、シングルキャリア−周波数分割多元接続方式、または、直交周波数分割多元接続方式により、上りリンクの信号を送信し、
前記上りリンクの信号の受信タイミングに基づいて、前記移動局との上りリンクの同期外れを判定する同期外れ判定手段；
を備えることを特徴の１つとする。【００１３】
このように構成することにより、上りリンクの信号の受信タイミングに基づいて、例えば該受信タイミングが基地局装置の受信ウィンドウから外れた移動局を同期外れと判定することができる。【００１４】
本発明の他の基地局装置は、
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局に対して、前記上りリンクのリソース又は下りリンクのリソースを割り当てないことを特徴の１つとする。【００１５】
このように構成することにより、同期外れと判定された移動局には上りリンクのリソースが割り当てられないため、移動局間の上りリンクの直交性を維持でき、上りリンクの伝送特性を改善することができる。【００１６】
本発明の他の基地局装置は、
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局との通信を切断することを特徴の１つとする。【００１７】
このように構成することにより、同期外れと判定された移動局との通信が切断されるため、移動局間の上りリンクの直交性を維持でき、上りリンクの伝送特性を改善することができる。【００１８】
本発明の他の基地局装置は、
複数の移動局と通信を行う基地局装置であって：
前記移動局は、シングルキャリア−周波数分割多元接続方式、または、直交周波数分割多元接続方式により、上りリンクの信号を送信し、
前記上りリンクの同期外れを検出した移動局に対して、ランダム  アクセス  チャネルを用いて同期を確立することを指示するメッセージを通知することを特徴の１つとする。【００１９】
このように構成することにより、同期外れと判定された移動局に対して、同期を再確立することを指示できるため、移動局間の上りリンクの直交性を維持でき、上りリンクの伝送特性を改善することができる。【００２０】
本発明の他の基地局装置は、
通信の開始時に、
前記移動局は、シングルキャリア−周波数分割多元接続方式、または、直交周波数分割多元接続方式により、上りリンクの信号を送信し、
前記上りリンクの信号の受信タイミングと、上りリンクのパイロット信号の受信品質と、上りリンクのデータの誤り率とに基づいて、前記移動局との上りリンクの複数の同期状態を判定する同期確立判定手段；
を備えることを特徴の１つとする。【００２１】
本発明の他の基地局装置は、
移動局と通信を行う基地局装置であって：
前記移動局は、シングルキャリア−周波数分割多元接続方式、または、直交周波数分割多元接続方式により、上りリンクの信号を送信し、
前記上りリンクの信号の受信タイミングと、上りリンクのパイロット信号の受信品質の少なくとも１つに基づいて、前記移動局との上りリンクの同期状態が確立されたと判定する同期確立判定手段；
を備えることを特徴の１つとする。【００２２】
本発明の通信制御方法は、
移動局と通信を行う基地局装置における通信制御方法であって：
前記移動局からシングルキャリア−周波数分割多元接続方式、または、直交周波数分割多元接続方式により送信される上りリンクの信号を受信する受信ステップ；
前記上りリンクの信号の受信タイミングに基づいて、前記移動局との上りリンクの同期外れを判定する同期外れ判定ステップ；
を備えることを特徴の１つとする。【００２３】
このようにすることにより、上りリンクの信号の受信タイミングに基づいて、例えば該受信タイミングが基地局装置の受信ウィンドウから外れた移動局を同期外れと判定することができる。
【発明の効果】
【００２４】
また、本発明の実施例によれば、同期外れを判定でき、その判定結果を上りリンクのスケジューリングに反映させることができる基地局装置及び通信制御方法を実現できる。
【図面の簡単な説明】
【００２５】
【図１】本発明の実施例にかかる無線通信システムの構成を示すブロック図である。
【図２】上り制御チャネルのマッピングの一例を示す説明図である。
【図３】サブフレーム及びスロットの構成を示す説明図である。
【図４】１スロットの構成を示す説明図である。
【図５】１サブフレームの構成を示す説明図である。
【図６】本発明の一実施例に係る基地局装置を示す部分ブロック図である。
【図７】本発明の一実施例に係る基地局装置のベースバンド部を示すブロック図である。
【図８】本発明の一実施例に係る基地局装置における同期外れを示す説明図である。
【図９】本発明の一実施例に係る上りリンク同期外れ検出方法を示すフロー図である。
【図１０】本発明の一実施例に係る通信制御方法を示すフロー図である。
【図１１】本発明の一実施例に係る通信制御方法を示すフロー図である。
【図１２】本発明の一実施例に係る通信制御方法を示すフロー図である。
【図１３】本発明の一実施例に係る複数の同期状態とその制御方法を示すフロー図である。
【図１４】本発明の一実施例に係る通信開始時の同期確立判定の処理を示すフロー図である。
【符号の説明】
【００２６】
５０  セル
１００１、１００２、１００３、１００ｎ  移動局
２００  基地局装置
２０２  送受信アンテナ
２０４  アンプ部
２０６  送受信部
２０８  ベースバンド処理部
２１０  呼処理部
２１２  伝送路インターフェース
２０８１  レイヤー１処理部
２０８２  ＭＡＣ処理部
２０８３  ＲＬＣ処理部
２０８４  ＵＬ送信タイミング制御部
２０８５  同期外れ検出部
３００  アクセスゲートウェイ装置
４００  コアネットワーク
【発明を実施するための最良の形態】
【００２７】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２８】
本発明の実施例に係る基地局装置が適用される無線通信システムについて、図１を参照して説明する。【００２９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と複数の移動局（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。ここで、移動局１００ｎはセル５０において基地局装置２００とＥｖｏｌｖｅｄ  ＵＴＲＡ  ａｎｄ  ＵＴＲＡＮにより通信を行う。【００３０】
以下、移動局１００ｎ（１００１、１００２、１００３、・・・１００ｎ）については、同一の構成、機能、状態を有するので、以下では特段の断りがない限り移動局１００ｎとして説明を進める。【００３１】
無線通信システム１０００は、無線アクセス方式として、下りリンクについてはＯＦＤＭ（周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００３２】
ここで、Ｅｖｏｌｖｅｄ  ＵＴＲＡ  ａｎｄ  ＵＴＲＡＮにおける通信チャネルについて説明する。【００３３】
下りリンクについては、各移動局１００ｎで共有して使用される下り共有物理チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。すなわち、下りチャネルは、下り共有物理チャネルとＬＴＥ用の下り制御チャネルとを指す。下りリンクでは、ＬＴＥ用の下り制御チャネルにより、下り共有物理チャネルにマッピングされるユーザの情報やトランスポートフォーマットの情報、上り共有物理チャネルにマッピングされるユーザの情報やトランスポートフォーマットの情報、上り共有物理チャネルの送達確認情報などが通知され、下り共有物理チャネルによりユーザデータが伝送される。上記下り共有物理チャネルにマッピングされるユーザの情報やトランスポートフォーマットの情報は、Downlink Scheduling Informationと呼ばれてもよい。また、上記上り共有物理チャネルにマッピングされるユーザの情報やトランスポートフォーマットの情報は、Uplink Scheduling Grantと呼ばれてもよい。【００３４】
上りリンクについては、各移動局１００ｎで共有して使用される上り共有物理チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。すなわち、上りチャネルは、上り共有物理チャネルとＬＴＥ用の上り制御チャネルとを指す。尚、上り制御チャネルには、上り共有物理チャネルと時間多重されるチャネルと、周波数多重されるチャネルの２種類がある。図２に、上り制御チャネルのマッピングを示す。尚、図２において、周波数多重されている上り制御チャネルは、サブフレーム内の２つのスロット間で、マッピングされる位置が異なる（周波数ホッピングが行われる）。図２において、５００は上り共有物理チャネルを示し、５１０は上り共有物理チャネルと周波数多重される場合を示し、５２０は上り共有物理チャネルと時間多重される場合を示す。尚、LTEにおけるサブフレームの長さは１ｍｓである。【００３５】
上りリンクでは、ＬＴＥ用の上り制御チャネルにより、下りリンクにおける共有物理チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有物理チャネルの送達確認情報（ＨＡＲＱ  ＡＣＫ  ｉｎｆｏｒｍａｔｉｏｎ）が伝送される。また、上り共有物理チャネルによりユーザデータが伝送される。【００３６】
上りリンク伝送では、図３に示すように、各スロット当たり７個のロングブロックを用いることが検討されている。そして、上記７個のロングブロックの内の１個のロングブロックには、データ復調用のリファレンス信号（パイロット信号）（すなわち、Ｄｅｍｏｄｕｌａｔｉｏｎ  Ｒｅｆｅｒｅｎｃｅ  Ｓｉｇｎａｌ）がマッピングされる。また、上記７個の内の、上述したＤｅｍｏｄｕｌａｔｉｏｎ  Ｒｅｆｅｒｅｎｃｅ  Ｓｉｇｎａｌがマッピングされているロングブロック以外の１つ、あるいは、２つ以上のロングブロックにおいて、スケジューリングや上りリンクの送信電力制御、ＡＭＣにおける上り共有物理チャネルの送信フォーマットの決定に用いられるサウンディング用のリファレンス信号（パイロット信号）（すなわち、Ｓｏｕｎｄｉｎｇ  Ｒｅｆｅｒｅｎｃｅ  Ｓｉｇｎａｌ）が送信される。上記Ｓｏｕｎｄｉｎｇ  Ｒｅｆｅｒｅｎｃｅ  Ｓｉｇｎａｌが送信されるロングブロックにおいては、Ｃｏｄｅ Ｄｉｖｉｓｉｏｎ Ｍｕｌｔｉｐｌｅ （ＣＤＭ）により複数の移動局からのＳｏｕｎｄｉｎｇ  Ｒｅｆｅｒｅｎｃｅ  Ｓｉｇｎａｌが多重される。
１サブフレームは、２スロットで構成されるため、１サブフレームは、図３に示すように、１４個のロングブロックにより構成される。尚、上記Ｄｅｍｏｄｕｌａｔｉｏｎ  Ｒｅｆｅｒｅｎｃｅ  Ｓｉｇｎａｌは、例えば、１サブフレーム内の４番目のロングブロックと１１番目のロングブロックにマッピングされる。尚、ロングブロックは、SC−FDMAシンボルと呼ばれてもよい。【００３７】
あるいは、上りリンクにおける伝送フォーマットとして、図４に示すように、各スロット当たり２個のショートブロック（ＳＢ：  ｓｈｏｒｔ  ｂｌｏｃｋ）と６個のロングブロック（ＬＢ：  ｌｏｎｇ  ｂｌｏｃｋ）を用いることも検討されている。上記６個のロングブロックの内の１個、あるいは、２個以上のロングブロックには、スケジューリングや上りリンクの送信電力制御、AMCにおける上り共有物理チャネルの送信フォーマットの決定に用いられるサウンディング用のリファレンス信号（パイロット信号）（すなわち、Ｓｏｕｎｄｉｎｇ  Ｒｅｆｅｒｅｎｃｅ  Ｓｉｇｎａｌ）がマッピングされる。上記Ｓｏｕｎｄｉｎｇ  Ｒｅｆｅｒｅｎｃｅ  Ｓｉｇｎａｌが送信されるロングブロックにおいては、Ｃｏｄｅ Ｄｉｖｉｓｉｏｎ Ｍｕｌｔｉｐｌｅ （ＣＤＭ）により複数の移動局からのSounding Reference Signalが多重される。２つのショートブロックは、データ復調のためのリファレンス信号（パイロット信号）（すなわち、Ｄｅｍｏｄｕｌａｔｉｏｎ  Ｒｅｆｅｒｅｎｃｅ  Ｓｉｇｎａｌ）の伝送に使用される。【００３８】
１サブフレームは、２スロットで構成されるため、１サブフレームは、図５に示すように、４個のショートブロックと１２個のロングブロックにより構成される。【００３９】
次に、本発明の実施例に係る基地局装置２００について、図６を参照して説明する。【００４０】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００４１】
下りリンクにより基地局装置２００から移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。【００４２】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。【００４３】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４４】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４５】
ベースバンド信号処理部２０８では、入力されたベースバンド信号に対して、ＦＦＴ処理、IDFT処理、誤り訂正復号、ＭＡＣ再送制御の受信処理、ＲＬＣ  ｌａｙｅｒの受信処理がなされ、伝送路インターフェース２１２を介してアクセスゲートウェイ装置３００に転送される。また、ベースバンド信号処理部２０８は、移動局１００ｎが送信した上りリンクの信号に基づいて、自基地局装置と同期が確立されているか否かを判定する。例えば、ベースバンド信号処理部２０８は、上りリンクのリファレンス  シグナル（Ｒｅｆｅｒｅｎｃｅ  ｓｉｇｎａｌ）（パイロット信号、すなわち、Ｓｏｕｎｄｉｎｇ  Ｒｅｆｅｒｅｎｃｅ  ＳｉｇｎａｌあるいはＤｅｍｏｄｕｌａｔｉｏｎ  Ｒｅｆｅｒｅｎｃｅ  Ｓｉｇｎａｌ）のＳＩＲ、データの誤り率、及び受信タイミングが自基地局装置の受信ウィンドウに収まっているか否かに基づいて、自基地局装置と同期が確立されているか否かを判定する。【００４６】
呼処理部２１０は、無線基地局２００の状態管理やリソース割り当てを行う。呼処理部２１０は、ベースバンド信号処理部２０８において同期が外れたと判断された移動局１００ｎとの通信を切断する処理を行ってもよい。このとき、例えば、呼処理部２１０は、ベースバンド信号処理部２０８において同期が外れたと判断された状態が所定の閾値以上の時間間隔で継続した場合に、上記ベースバンド信号処理部２０８において同期が外れたと判断された移動局１００ｎとの通信を切断する処理を行ってもよい。【００４７】
また、呼処理部２１０は、ベースバンド信号処理部２０８において同期が外れたと判断された移動局に対して、ランダム  アクセス  チャネル（ＲＡＣＨ：  Ｒａｎｄｏｍ  Ａｃｃｅｓｓ  Ｃｈａｎｎｅｌ）を用いて、再度上りリンクの同期を確立することを指示するシグナリングを通知してもよい。このとき、呼処理部２１０は、ベースバンド信号処理部２０８において同期が外れたと判断された状態が所定の閾値以上の時間間隔で継続した場合に、上記ベースバンド信号処理部２０８において同期が外れたと判断された移動局１００ｎに対して、ランダム  アクセス  チャネル（ＲＡＣＨ：  Ｒａｎｄｏｍ  Ａｃｃｅｓｓ  Ｃｈａｎｎｅｌ）を用いて、再度上りリンクの同期を確立することを指示するシグナリングを通知してもよい。ここで、上記シグナリングは、MAC Layerにおける制御情報を用いてもよいし、ＲＲＣ  ｍｅｓｓａｇｅを用いてもよい。【００４８】
次に、ベースバンド信号処理部２０８の構成について、図７を参照して説明する。【００４９】
ベースバンド信号処理部２０８は、レイヤー１処理部２０８１と、ＭＡＣ（Ｍｅｄｉｕｍ  Ａｃｃｅｓｓ  Ｃｏｎｔｒｏｌ）処理部２０８２と、ＲＬＣ処理部２０８３と、ＵＬ（Ｕｐｌｉｎｋ）送信タイミング制御部２０８４と、同期外れ検出部２０８５とを備える。【００５０】
ベースバンド信号処理部２０８におけるレイヤー１処理部２０８１とＭＡＣ処理部２０８２とＵＬ送信タイミング制御部２０８４と同期外れ検出部２０８５と呼処理部２１０とＲＬＣ処理部２０８３は、互いに接続されている。【００５１】
レイヤー１処理部２０８１では、下りリングで送信されるデータのチャネル符号化やＩＦＦＴ処理、上りリンクで送信されるデータのチャネル復号化やＦＦＴ処理などが行われる。上記上りリンクで送信されるデータには、上りリンクの共有チャネルや上りリンクの制御チャネルが含まれる。上りリンクの制御チャネルには、下りリンクの共有チャネルに対する送達確認情報やCQIが含まれる。【００５２】
また、レイヤー１処理部２０８１は、移動局１００ｎが送信する信号の受信タイミングを測定し、その受信タイミングが受信ウィンドウのどの位置に存在するのかを示す受信タイミング位置情報をＵＬ送信タイミング制御部２０８４に通知する。レイヤー１処理部２０８１には、例えば、セル半径に基づいて、下りリンクの送信タイミングに対する上りリンクの基準受信タイミング（以下、基準ＦＦＴタイミングと呼ぶ）が予め決定される。ここで、基準ＦＦＴタイミングとは、例えばセル端にいる移動局が送信タイミングを遅らせること無く、最短のタイミングで送信したときの受信タイミングとする。そして、基地局装置２００から下りリンクで送信される送信タイミングを示す情報（ＵＬ送信タイミング制御信号）は、移動局１００ｎが上記ＵＬ送信タイミング制御信号に基づいて理想的に送信する上りリンクの信号の受信タイミングが基準ＦＦＴタイミングとなるように決定される。【００５３】
レイヤー１処理部２０８１は、例えば上りリンクのリファレンス  シグナル、例えばサウンディング  リファレンス  シグナル（Ｓｏｕｎｄｉｎｇ  Ｒｅｆｅｒｅｎｃｅ  Ｓｉｇｎａｌ）を用いて各移動局１００ｎからの信号の受信タイミングを検出する。その結果、図８に示すように、移動局１００１〜移動局１００５の受信タイミングが検出される。図８には、サブフレームの先頭部分を示す。ここでは、シングルパスの場合を示すが、マルチパスの場合にはある程度受信電力の大きい全てのパスが受信ウィンドウ内に入っている必要がある。【００５４】
レイヤー１処理部２０８１は、基準ＦＦＴタイミングと移動局毎に最適な受信タイミング（以下、最適ＦＦＴタイミングと呼ぶ）との差、例えば移動局毎の最適ＦＦＴタイミング−基準ＦＦＴタイミングを計算し、受信タイミング位置情報としてＵＬ送信タイミング制御部２０８４に入力する。各移動局の受信タイミングの検出は、上述したように上りリンクのサウンディング  レファレンス  シグナルを用いて行うようにしてもよいし、特性が向上するのであれば、ＣＱＩ（Ｃｈａｎｎｅｌ  Ｑｕａｌｉｔｙ  Ｉｎｄｉｃａｔｏｒ）  フィードバック  チャネル（ｆｅｅｄｂａｃｋ  ｃｈａｎｎｅｌ）や、デモジュレーション  レファレンス  シグナル（Ｄｅｍｏｄｕｌａｔｉｏｎ  ｒｅｆｅｒｅｎｃｅ  ｓｉｇｎａｌ）を用いるようにしてもよい。【００５５】
また、レイヤー1処理部２０８１は、上りリンクのリファレンス  シグナル（すなわち、Ｓｏｕｎｄｉｎｇ  Ｒｅｆｅｒｅｎｃｅ  ＳｉｇｎａｌあるいはＤｅｍｏｄｕｌａｔｉｏｎ  Ｒｅｆｅｒｅｎｃｅ  Ｓｉｇｎａｌ）のＳＩＲを算出し、上記ＳＩＲを同期外れ検出部２０８５に通知する。尚、レイヤー１処理部２０８１は、上りリンクのリファレンス  シグナルのSIRの代わりに、CQIのSIRを算出し、上記SIRを同期外れ検出部２０８５に通知してもよい。あるいは、レイヤー１処理部２０８１は、上りリンクのリファレンス  シグナルのSIRに加えて、CQIのSIRも算出し、上記SIRを同期外れ検出部２０８５に通知してもよい。【００５６】
ＭＡＣ処理部２０８２は、下りデータのＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択等を行う。また、ＭＡＣ処理部２０８２は、上りデータのＭＡＣ再送制御の受信処理等を行う。【００５７】
また、ＭＡＣ処理部２０８２は、ＵＬ送信タイミング制御部２０８４より、移動局１００ｎへの上りリンクの送信タイミングを示すＵＬ（Ｕｐｌｉｎｋ）送信タイミング制御信号、例えばタイミング  アドバンス（ＴＡ：  Ｔｉｍｉｎｇ  Ａｄｖａｎｃｅ）を通知するように指示された場合に、タイミング  アドバンスを当該移動局１００ｎに通知する。上記タイミング  アドバンスは、例えば、物理レイヤにおける制御情報として送信されてもよいし、あるいは、MACレイヤにおける制御情報として送信されてもよい。【００５８】
この場合、MAC処理部２０８２は、上記タイミング  アドバンスを含んだ下りリンクの共有チャネルに対する送達確認情報がACKであるか否かを監視し、上記監視結果を、UL送信タイミング制御部２０８４に通知してもよい。【００５９】
ＭＡＣ処理部２０８２は、同期外れ検出部２０８５より、移動局１００ｎが同期外れであることを通知された場合に、該移動局１００ｎをスケジューリングの対象から外す処理を行う。すなわち、ＭＡＣ処理部２０８２は、同期外れでない移動局を対象として、上りリンクの共有チャネルを割り当てるスケジューリングを行う。尚、ＭＡＣ処理部２０８２は、該移動局１００ｎを上りリンクの共有チャネルを割り当てるスケジューリングの対象から外すだけでなく、下りリンクの共有チャネルを割り当てるスケジューリングの対象からも外してもよい。【００６０】
また、ＭＡＣ処理部２０８２は、ＭＡＣレイヤにおける上りリンクの誤り率を取得し、上記上りリンクの誤り率を同期外れ検出部２０８５に通知する。ここで、上記上りリンクの誤り率とは、例えばＨＡＲＱを行った後の誤り率や、物理レイヤー（Ｐｈｙｓｉｃａｌ  ｌａｙｅｒ）における誤り率、すなわちＨＡＲＱにおける１回の送信の誤り率のうち、いずれかの誤り率のことである。【００６１】
ＲＬＣ処理部２０８３では、下りリンクのパケットデータに関する、分割・結合、ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。【００６２】
また、ＲＬＣ処理部２０８３は、ＲＬＣレイヤにおける上りリンクの誤り率を取得し、上記上りリンクの誤り率を同期外れ検出部２０８５に通知する。【００６３】
ＵＬ送信タイミング制御部２０８４は、レイヤー1処理部２０８１から通知される各移動局１００ｎの受信タイミング位置情報に基づき、必要に応じて、移動局１００ｎの受信タイミングを調節するためのＵＬ送信タイミング制御信号、例えばタイミング  アドバンスを、ＭＡＣ処理部２０８２あるいはレイヤー１処理部２０８１を介して、移動局１００ｎに通知する。例えば、ＵＬ送信タイミング制御部２０８４は、自基地局装置２００の受信端において、複数同時アクセス移動局１００ｎからのマルチパス受信信号の受信タイミングをサイクリック  プリフィックス（ＣＰ：  Ｃｙｃｌｉｃ  Ｐｒｅｆｉｘ）長内に収めるように調節するための送信タイミングを決定し、上記送信タイミングを実現するために移動局１００ｎが調節すべき送信タイミングの調節量を、ＵＬ送信タイミング制御信号として、ＭＡＣ処理部２０８２あるいはレイヤー処理部２０８１を介して、移動局１００ｎに通知する。ここで、上記移動局１００ｎが調節すべき送信タイミングの調節量は、例えば、「移動局毎の最適ＦＦＴタイミング−基準ＦＦＴタイミング」から算出される。すなわち、「移動局毎の最適ＦＦＴタイミング−基準ＦＦＴタイミング＝０」となるように上記調節量を算出する。各移動局１００ｎは、基地局装置２００から通知されたＵＬ送信タイミング制御信号に基づいて送信タイミングを制御することにより、基地局装置２００の受信端において、各移動局１００ｎから送信される上りリンクの信号の受信タイミングがサイクリック  プリフィックス（ＣＰ：  Ｃｙｃｌｉｃ  Ｐｒｅｆｉｘ）長内に収めら、結果として、移動局間の直交性が維持される。尚、移動局における初回の送信タイミング制御は、非同期ランダム  アクセス  チャネル（Ｎｏｎ−ｓｙｎｃ  ＲＡＣＨ）のＲＡＣＨ応答（ＲＡＣＨ  ｒｅｓｐｏｎｓｅ）に多重されたＵＬ送信タイミング制御信号に基づいて行われる。【００６４】
尚、ＵＬ送信タイミング制御部２０８４は、後述する同期外れ検出部２０８５における同期外れの判定の結果に関係なく、上記タイミング  アドバンスの送信を行ってもよいし、同期外れ検出部２０８５における同期外れの判定の結果に基づいて、上記タイミング  アドバンスの送信を行ってもよい。同期外れ検出部２０８５における同期外れの判定の結果に基づいて、上記タイミング  アドバンスの送信を行う場合には、例えば、同期外れ検出部２０８５において同期が外れていると判定された移動局に対しては、タイミング  アドバンスを送信しないという動作としてもよい。あるいは、同期外れ検出部２０８５において、上りリンクのリファレンス  シグナルのＳＩＲ、あるいは、データの誤り率に基づいて同期が外れていると判定された場合には、タイミング  アドバンスを送信しないが、上りリンクのリファレンス  シグナルのＳＩＲ、あるいは、データの誤り率に基づいて同期が外れているとは判定されず、受信タイミングが自基地局装置の受信ウィンドウに収まっているか否かのみに基づいて、同期が外れていると判定された場合には、タイミング  アドバンスを送信するという動作としてもよい。【００６５】
さらに、ＵＬ送信タイミング制御部２０８４は、レイヤー1処理部２０８１から通知される各移動局１００ｎの受信タイミング位置情報を同期外れ検出部２０８５に通知する。【００６６】
また、UL送信タイミング制御部２０８４は、過去に各移動局１００ｎに対してUL送信タイミング制御信号を送信したという履歴を管理してもよい。より具体的には、最後に移動局１００ｎに対してUL送信タイミング制御信号を送信したタイミングからの経過時間を測定し、上記経過時間が所定のタイマーを超えているか否かを判定してもよい。尚、上記所定のタイマーは、UL Out-of-sync timerと呼ばれてもよい。尚、UL送信タイミング制御部２０８４は、上記最後に移動局１００nに対してUL送信タイミング制御信号を送信したタイミングを、下りリンクの共有チャネルにマッピングして送ったタイミングと定義してもよいし、あるいは、下りリンクの共有チャネルにマッピングして送り、かつ、当該共有チャネルに対する送達確認情報としてACKを受信したタイミングと定義してもよい。この場合、実際にACKを受信したか否かは、レイヤー1処理部２０８１及びMAC処理部２０８２から通知される。【００６７】
そして、UL送信タイミング制御部２０８４は、各移動局１００ｎに関する、最後にUL送信タイミング制御信号を送信したタイミングからの経過時間が所定のタイマーを超えているか否かの判定結果を同期外れ検出部２０８５に通知する。【００６８】
同期外れ検出部２０８５は、レイヤー１処理部２０８１から通知される上りリンクのリファレンス  シグナル（パイロット信号、すなわち、Sounding Reference SignalあるいはDemodulation Reference Signal）のＳＩＲ、ＭＡＣレイヤ処理部２０８２あるいはＲＬＣレイヤ処理部２０８３から通知されるデータの誤り率及び受信タイミングが自基地局装置の受信ウィンドウに収まっているか否かに基づいて、自局と同期が確立されているか否かを判定する。【００６９】
例えば、同期外れ検出部２０８５は、レイヤー１処理部２０８１から通知される上りリンクのリファレンス  シグナルのＳＩＲが所定の閾値以下であるか否かを判断し、閾値以下である場合には、自基地局装置２００と移動局１００ｎとが上りリンクにおいて同期が外れていると判定し、閾値を超えている場合には、自基地局装置２００と移動局１００ｎとが上りリンクにおいて同期が確立されていると判定する。尚、同期外れ検出部２０８５は、上記上りリンクのリファレンス  シグナルのＳＩＲが所定の閾値以下である状態が、所定の時間以上経過した場合に、同期が外れていると判定してもよい。尚、同期外れ検出部２０８５は、リファレンスシグナルのSIRの代わりに、CQIのSIRがレイヤー１処理部２０８１から通知された場合には、CQIのSIRに基づいて、同様の判定を行ってもよい。あるいは、リファレンスシグナルのSIRに加えて、CQIのSIRがレイヤー１処理部２０８１から通知された場合には、リファレンスシグナルのSIRとCQIのSIRの両方に基づいて、同様の判定を行ってもよい。この場合、両方のSIRに基づく判定が、同期外れであると判定した場合に、同期外れであると判定してもよいし、あるいは、どちらか一方のSIRに基づく判定が、同期外れであると判定した場合に、同期外れであると判定してもよい。【００７０】
尚、同期外れ検出部２０８５は、上述した上りリンクのリファレンス  シグナルのSIRに基づいた同期判定に加えて、UL送信タイミング制御部２０８４より受け取った、最後にUL送信タイミング制御信号を送信したタイミングからの経過時間が所定のタイマーを超えているか否かの判定結果に基づいて、上りリンクの同期が外れているか否かの判定を行ってもよい。より具体的には、上記最後にUL送信タイミング制御信号を送信したタイミングからの経過時間が所定のタイマーを超えている場合に、上りリンクの同期が外れていると判定し、そうでない場合に、同期が外れていないと判定してもよい。尚、この場合、上述した上りリンクのリファレンス  シグナルのSIRに基づいた同期判定と、最後にUL送信タイミング制御信号を送信したタイミングからの経過時間が所定のタイマーを超えているか否かの判定結果に基づいた同期判定の両方において、同期が外れていると判定した場合に、同期が外れていると判定してもよいし、あるいは、上述した上りリンクのリファレンス  シグナルのSIRに基づいた同期判定と、最後にUL送信タイミング制御信号を送信したタイミングからの経過時間が所定のタイマーを超えているか否かの判定結果に基づいた同期判定のどちらか一方において、同期が外れていると判定した場合に、同期が外れていると判定してもよい。【００７１】
また、例えば、同期外れ検出部２０８５は、ＭＡＣレイヤ処理部２０８２あるいはＲＬＣレイヤ処理部２０８３から通知される上りリンクのデータの誤り率が所定の閾値以上であるか否かを判断し、閾値以上である場合には、自基地局装置２００と移動局１００ｎとが上りリンクにおいて同期が外れていると判定し、閾値未満である場合には、自基地局装置２００と移動局１００ｎとが上りリンクにおいて同期が確立されていると判定する。尚、同期外れ検出部２０８５は、上記上りリンクのデータの誤り率が所定の閾値以上である状態が、所定の時間以上経過した場合に、同期が外れていると判定してもよい。【００７２】
ここで、上りリンクのデータの誤り率とは、ＲＬＣ  ｌａｙｅｒにおける誤り率、ＭＡＣ  ｌａｙｅｒにおける誤り率、例えばＨＡＲＱを行った後の誤り率、物理レイヤー（Ｐｈｙｓｉｃａｌ  ｌａｙｅｒ）における誤り率、例えばＨＡＲＱにおける１回の送信の誤り率のうち、いずれの誤り率を用いてもよい。また、誤り率相当のものとして、ＭＡＣ  ｌａｙｅｒにおける再送回数としてもよい。
また、上りリンクのデータの誤り率ではなく、連続して誤った回数で判定してもよい。例えば、MAC layerにおけるHARQの各送信において、連続して３０回以上誤った場合に、同期が外れていると判定し、1回でも誤らなかった場合に、同期が外れていないと判定してもよい。尚、上記誤りの判定は、RLC layerの誤りでもよく、HARQを行った後の誤りでもよい。【００７３】
また、例えば、同期外れ検出部２０８５は、上りリンクの信号の受信タイミングが自基地局装置２００の受信ウィンドウの中に収まっている否かを判断し、収まっていない場合には、自基地局装置２００と移動局１００ｎとが上りリンクにおいて同期が外れていると判定し、収まっている場合には、自基地局装置２００と移動局１００ｎとが上りリンクにおいて同期が確立されていると判定する。ここで、例えば、受信ウィンドウはＣＰ長とＦＦＴタイミングで定義される。【００７４】
例えば、同期外れ検出部２０８５は、ＵＬ送信タイミング制御部２０８４により入力された各移動局１００ｎの受信タイミング位置情報に基づいて、この受信タイミング情報がしきい値以上である場合は同期外れと判断し、この受信タイミング情報がしきい値未満である場合は同期が確立されていると判断する。【００７５】
尚、同期外れ検出部２０８５は、上記受信タイミング情報がしきい値以上である状態が、所定の時間以上経過した場合に、同期が外れていると判断してもよい。【００７６】
また、同期外れ検出部２０８５は、上述した、上りリンクのリファレンス  シグナルのＳＩＲ、データの誤り率及び受信タイミングの３つの同期外れ検出において、所定の時間以上経過した場合に同期外れと判定する場合に、上記所定の時間を、それぞれの判定において異なる値に設定してもよい。例えば、上りリンクのリファレンス  シグナルのＳＩＲ、データの誤り率に基づいた判定においては、通信中の移動局１００ｎの上りリンクのリファレンス  シグナルのＳＩＲが所定の閾値以下である状態、あるいは、上りリンクのデータの誤り率が所定の閾値以上である状態が、１６０ｍｓ程度の長い時間継続した場合に同期外れと判定し、受信タイミングに基づいた判定においては、通信中の移動局１００ｎの上りリンクの受信タイミングが無線基地局の受信ウィンドウの中に収まっていない状態が、１０ｍｓ程度の短い時間継続した場合に同期外れと判定してもよい。【００７７】
同期外れ検出部２０８５は、上述した、上りリンクのリファレンス  シグナルのＳＩＲ、データの誤り率及び受信タイミングの３つの同期外れ検出の指標の内、全てを用いて同期外れの検出を行ってもよいし、３つの内の１つまたは２つを用いて同期外れの検出を行ってもよい。【００７８】
また、上記３つの同期外れ検出の指標に基づいて、複数の同期外れ状態を設定してもよい。例えば、受信タイミングの指標を用いた同期外れ検出で同期外れと検出し、上りリンクのリファレンス  シグナルのＳＩＲ、データの誤り率の指標を用いた同期外れ検出で同期外れでないと検出した状態を同期外れ状態Aと定義し、３つ全ての指標を用いた同期外れ検出で同期外れと検出した状態を同期外れ状態Bと定義してもよい。このとき、例えば、同期外れ状態Ａであると判断された移動局１００ｎに対して、スケジューリングの対象から外す処理を行い、同期外れ状態Ｂであると判断された移動局１００ｎに対して、スケジューリングの対象から外すだけでなく、ランダム  アクセス  チャネル（ＲＡＣＨ：  Ｒａｎｄｏｍ  Ａｃｃｅｓｓ  Ｃｈａｎｎｅｌ）を用いて、再度上りリンクの同期を確立することを指示するシグナリングを通知するという、各同期状態に応じた制御を行ってもよい。
さらに、同期外れ検出部２０８５は、移動局１００ｎと新規に通信を開始する場合にも、レイヤー１処理部２０８１から通知される上りリンクのリファレンス  シグナル（パイロット信号、すなわち、Sounding  Reference  SignalあるいはDemodulation  Reference  Signal）のＳＩＲ及び受信タイミングが自基地局装置の受信ウィンドウに収まっているか否かに基づいて、自局と同期が確立されているか否かを判定してもよい。【００７９】
次に、本実施例に係る基地局装置２００における送信制御方法としての上りリンク同期外れ検出方法について、図９を参照して説明する。【００８０】
同期外れ検出部２０８５は、自基地局装置２００がカバーするセル内において通信中の移動局１００ｎの上りリンクのリファレンス  シグナルのＳＩＲが所定の閾値以下であるか否かを判断する（ステップＳ７０２）。【００８１】
リファレンス  シグナルのＳＩＲが所定の閾値以下である場合（ステップＳ７０２：ＹＥＳ）、同期外れ検出部２０８５は、自基地局装置２００と移動局１００ｎと上りリンクにおいて同期が外れていると判断する（ステップＳ７０４）。例えば、通信中の移動局１００ｎの上りリンクのリファレンス  シグナルのＳＩＲが所定の閾値以下である時間が所定の時間経過した場合、例えば１６０ｍｓ程度の時間継続した場合に同期が外れていると判断するようにしてもよい。【００８２】
一方、リファレンス  シグナルのＳＩＲが所定の閾値以下でない場合（ステップＳ７０２：ＮＯ）、同期外れ検出部２０８５は、セル内において通信中の移動局１００ｎの上りリンクのデータの誤り率が所定の閾値以上であるか否かを判断する（ステップＳ７０６）。【００８３】
上りリンクのデータの誤り率が所定の閾値以上である場合（ステップＳ７０６：ＹＥＳ）、同期外れ検出部２０８５は、自基地局装置２００と移動局１００ｎと上りリンクにおいて同期が外れていると判断する（ステップＳ７０４）。例えば、通信中の移動局１００ｎの上りリンクのデータの誤り率が所定の閾値以上である時間が所定の時間経過した場合、例えば１６０ｍｓ程度の時間継続した場合に同期が外れていると判断するようにしてもよい。【００８４】
一方、上りリンクのデータの誤り率が所定の閾値以上でない場合（ステップＳ７０６：ＮＯ）、同期外れ検出部２０８５は、セル内において通信中の移動局１００ｎの上りリンクの受信タイミングが無線基地局の受信ウィンドウの中に収まっているか否かを判断する（ステップＳ７０８）。【００８５】
上りリンクの受信タイミングが無線基地局の受信ウィンドウの中に収まっていない場合（ステップＳ７０８：ＮＯ）、同期外れ検出部２０８５は、自基地局装置２００と移動局１００ｎと上りリンクにおいて同期が外れていると判断する（ステップＳ７０４）。例えば、通信中の移動局１００ｎの上りリンクの受信タイミングが無線基地局の受信ウィンドウの中に収まっていない時間が所定の時間経過した場合、例えば１６０ｍｓ程度の時間継続した場合に同期が外れていると判断するようにしてもよい。【００８６】
一方、上りリンクの受信タイミングが無線基地局の受信ウィンドウの中に収まっている場合（ステップＳ７０８：ＹＥＳ）、自基地局装置２００と移動局１００ｎと上りリンクにおいて同期が確立されていると判定する（ステップＳ７１０）。【００８７】
上述した上りリンク同期外れ検出方法において、ステップＳ７０２、ステップＳ７０６及びステップＳ７０８は、上述した順序に限定されず、どの順序で行われてもよい。また、全てのステップを実行する必要はなく、必要に応じて少なくとも１つの処理で同期外れを検出するようにしてもよい。【００８８】
また、ステップＳ７０２、ステップＳ７０６及びステップＳ７０８の各ステップにおける判定を行うための時間は、異なる値に設定してもよい。例えば、ステップＳ７０２及びステップＳ７０６においては、通信中の移動局１００ｎの上りリンクのリファレンス  シグナルのＳＩＲが所定の閾値以下である状態、あるいは、上りリンクのデータの誤り率が所定の閾値以上である状態が、１６０ｍｓ程度の長い時間継続した場合に同期外れと判定し、ステップＳ７０８においては、通信中の移動局１００ｎの上りリンクの受信タイミングが無線基地局の受信ウィンドウの中に収まっていない状態が、１０ｍｓ程度の短い時間継続した場合に同期外れと判定してもよい。【００８９】
また、ステップS702における上りリンクのリファレンス  シグナルのSIRに基づいた判定においては、上述したように、最後にUL送信タイミング制御信号を送信したタイミングからの経過時間が所定のタイマーを超えているか否かの判定結果が考慮されてもよい。【００９０】
次に、本実施例に係る基地局装置２００における送信制御方法としてのMAC処理部２０８２におけるスケジューリング方法について、図１０を参照して説明する。【００９１】
MAC処理部２０８２は、自基地局装置２００のカバーするセル内に在圏し、通信中の各移動局に対して、上りリンクの同期が外れているか否かを判断する（ステップＳ８０２）。例えば、上述した上りリンク同期外れ検出方法により同期外れを検出する。【００９２】
上りリンクの同期が外れていると判断した場合（ステップＳ８０２：ＹＥＳ）、MAC処理部２０８２は、該上りリンクの同期が外れている移動局をスケジューリングの対象から外す（ステップＳ８０４）。その結果、該上りリンクの同期が外れている移動局には上りリンクの共有チャネルは割り当てられない。【００９３】
一方、上りリンクの同期が外れていると判断しない場合（ステップＳ８０２：ＮＯ）、MAC処理部２０８２は、該上りリンクの同期が外れていない移動局をスケジューリングの対象とする（ステップＳ８０６）。その結果、該上りリンクの同期が外れていない移動局には上りリンクの共有チャネルが割り当てられる。【００９４】
ここで、「スケジューリングの対象とする」とは、上りリンクの共有チャネルを割り当てるためのスケジューリングの候補とするという意味であり、実際に割り当てられるかはスケジューラ次第である。また、「上りリンクの共有チャネルを割り当てる」とは，実際に上りリンクのリソースを割り当てて、通信をさせることを意味する。また、上述した例では、上りリンクの共有チャネルに関する処理を示したが、上りリンクの共有チャネルだけでなく、下りリンクの共有チャネルに関しても同様に、同期が外れているか否かに基づいた、スケジューリングの対象とするか否かの処理を行ってもよい。【００９５】
次に、本実施例に係る基地局装置２００における送信制御方法としての呼処理部２１０における通信制御方法について、図１１を参照して説明する。【００９６】
呼処理部２１０は、自基地局装置２００のカバーするセル内に在圏し、通信中の各移動局に対して、上りリンクの同期が外れているか否かを判断する（ステップＳ９０２）。例えば、上述した上りリンク同期外れ検出方法により同期外れを検出する。【００９７】
上りリンクの同期が外れていると判断した場合（ステップＳ９０２：ＹＥＳ）、呼処理部２１０は、該上りリンクの同期が外れている移動局との通信を切断する（ステップＳ９０４）。【００９８】
一方、上りリンクの同期が外れていると判断しない場合（ステップＳ９０２：ＮＯ）、呼処理部２１０は、該上りリンクの同期が外れていない移動局との通信を継続する。【００９９】
次に、本実施例に係る基地局装置２００における送信制御方法としての呼処理部２１０における他の通信制御方法について、図１２を参照して説明する。【０１００】
呼処理部２１０は、自基地局装置２００のカバーするセル内に在圏し、通信中の各移動局に対して、上りリンクの同期が外れているか否かを判断する（ステップＳ１００２）。例えば、上述した上りリンク同期外れ検出方法により同期外れを検出する。【０１０１】
上りリンクの同期が外れていると判断した場合（ステップＳ１００２：ＹＥＳ）、呼処理部２１０は、該上りリンクの同期が外れている移動局に対して、ＲＡＣＨを用いて再度上りリンクの同期を確立することを指示するシグナリングを通知する（ステップＳ１００４）。ここで、上記ＲＡＣＨを用いて再度上りリンクの同期を確立することを指示するシグナリングは、例えば、ＲＲＣを用いて通知されてもよいし、あるいは、ＭＡＣ  ｌａｙｅｒの制御情報を用いて通知されてもよい。【０１０２】
一方、上りリンクの同期が外れていると判断しない場合（ステップＳ１００２：ＮＯ）、呼処理部２１０は、該上りリンクの同期が外れていない移動局との通信を継続する（ステップＳ１００６）。【０１０３】
次に、本実施例に係る基地局装置２００における複数の同期状態とその制御方法について、図１３を参照して説明する。【０１０４】
セル内において通信中の移動局の上りリンクのReference signalのSIRが所定の閾値以下であるか否かを判定する（ステップＳ１３０２）。【０１０５】
セル内において通信中の移動局の上りリンクのReference signalのSIRが所定の閾値以下でない場合（ステップＳ１３０２：ＮＯ）、セル内において通信中の移動局の上りリンクのデータの誤り率が所定の閾値以上であるか否かを判定する（ステップＳ１３０４）。【０１０６】
セル内において通信中の移動局の上りリンクのReference signalのSIRが所定の閾値以下である場合（ステップＳ１３０２：ＹＥＳ）、及びセル内において通信中の移動局の上りリンクのデータの誤り率が所定の閾値以上である場合（ステップＳ１３０４：ＹＥＳ）、無線基地局と移動局と上りリンクにおいて同期外れ状態Ｂと判定する（ステップＳ１３１４）。その後、上記移動局に対して、ＲＡＣＨを用いて改めて上り同期を確立することを指示するシグナリングを通知する，あるいは、上記移動局との通信を切断する（ステップＳ１３１６）。【０１０７】
一方、セル内において通信中の移動局の上りリンクのReference signalのSIRが所定の閾値以下でない場合（ステップＳ１３０２：ＮＯ）、かつ、セル内において通信中の移動局の上りリンクのデータの誤り率が所定の閾値以上でない場合（ステップ１３０４：NO）、セル内において通信中の移動局の上りリンクの受信タイミングが無線基地局の受信ウィンドウの中に収まっているか否かを判定する（ステップＳ１３０６）。【０１０８】
セル内において通信中の移動局の上りリンクの受信タイミングが無線基地局の受信ウィンドウの中に収まっている場合（ステップＳ１３０６：ＹＥＳ）、無線基地局と移動局と上りリンクにおいて同期が確立されていると判定する（ステップＳ１３０８）。【０１０９】
一方、セル内において通信中の移動局の上りリンクの受信タイミングが無線基地局の受信ウィンドウの中に収まってない場合（ステップＳ１３０６：ＮＯ）、無線基地局と移動局と上りリンクにおいて同期外れ状態Ａと判定する（ステップＳ１３１０）。その後、上記移動局をスケジューリングの対象としない（上りリンクの共有チャネルを割り当てない）（ステップＳ１３１２）。【０１１０】
尚、ステップS１３０２における上りリンクのリファレンス  シグナルのSIRに基づいた判定においては、上述したように、最後にUL送信タイミング制御信号を送信したタイミングからの経過時間が所定のタイマーを超えているか否かの判定結果が考慮されてもよい。【０１１１】
次に、本実施例に係る基地局装置２００における通信開始時の同期確立判定の処理について、図１４を参照して説明する。【０１１２】
移動局が、無線基地局と通信を開始する（ステップＳ１４０２）。【０１１３】
次に、セル内において通信中の移動局の上りリンクのReference  signalのSIRが所定の閾値以下であるか否かを判定する（ステップＳ１４０４）。【０１１４】
セル内において通信中の移動局の上りリンクのReference  signalのSIRが所定の閾値以下でない場合（ステップＳ１４０４：ＮＯ）、セル内において通信中の移動局の上りリンクの受信タイミングが無線基地局の受信ウィンドウの中に収まっているか否かを判断する（ステップＳ１４０６）、
セル内において通信中の移動局の上りリンクの受信タイミングが無線基地局の受信ウィンドウの中に収まっている場合（ステップＳ１４０６：YES）、無線基地局と移動局と上りリンクにおいて同期が確立されたと判定する（ステップＳ１４０８）。【０１１５】
一方、セル内において通信中の移動局の上りリンクのReference  signalのSIRが所定の閾値以下である場合（ステップＳ１４０４：ＹＥＳ）及びセル内において通信中の移動局の上りリンクの受信タイミングが無線基地局の受信ウィンドウの中に収まっていない場合（ステップＳ１４０４：NO）、無線基地局と移動局と上りリンクにおいて同期が確立されていないと判定する（ステップＳ１４１０）。【０１１６】
本発明の実施例によれば、上りリンクの信号が基地局装置の受信ウィンドウから外れた移動局を同期外れと判定し、この同期外れと判定された移動局に対して上りリンクの共有チャネルを割り当てないことにより、上りリンクの直交性を維持し、上りリンクにおける通信品質、通信容量を改善することができる。【０１１７】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、上りリンクにおいてシングルキャリア−周波数分割多元接続方式や直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を用いる全てのシステムにおいて適用することが可能である。【０１１８】
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。【０１１９】
すなわち、本発明はここでは記載していない様々な実施形態等を含むことは勿論である。従って、本発明の技術的範囲は上記の説明から妥当な特許請求の範囲に係る発明特定事項によってのみ定められるものである。【０１２０】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。【０１２１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１２２】
本国際出願は、２００７年１月９日に出願した日本国特許出願２００７−００１８６０号に基づく優先権を主張するものであり、２００７−００１８６０号の全内容を本国際出願に援用する。
【産業上の利用可能性】
【０１２３】
本発明にかかる移動通信システム、基地局及び移動局並びに通信制御方法は、無線通信システムに適用できる。
【図１】
2008084622.tif 000003
【図２】
2008084622.tif 000004
【図３】
2008084622.tif 000005
【図４】
2008084622.tif 000006
【図５】
2008084622.tif 000007
【図６】
2008084622.tif 000008
【図７】
2008084622.tif 000009
【図８】
2008084622.tif 000010
【図９】
2008084622.tif 000011
【図１０】
2008084622.tif 000012
【図１１】
2008084622.tif 000013
【図１２】
2008084622.tif 000014
【図１３】
2008084622.tif 000015
【図１４】
2008084622.tif 000016
【国際調査報告】
2008084622.tif 000017
2008084622.tif 000018
2008084622.tif 000019
2008084622.tif 000020